(57)【要約】      （修正有）【課題】インパクト部材とガイドロッドの間の摩擦抵抗を低減する。【解決手段】インパクトユニット４は、フライホイール２２とスイングアームユニット３との間に配置されるように構成されたインパクト部材４１と、インパクト部材４１に設置され、スイングアームユニット３との間に間隙Ｄを形成するようにスイングアームユニット３と離間していると共に、スイングアームユニット３の導磁性部品３２を磁気的に引き付ける磁力を提供する磁性素子セット４２とを含む。スイングアームユニット３は、インパクト部材４１がフライホイール２２と接触しない位置である射出前位置と、インパクト部材４１がフライホイール２２と接触する位置である射出位置との間で移動可能であって、スイングアームユニット３が射出位置に移動すると、フライホイール２２の回転がインパクトユニット４を前記スイングアームユニット３に沿って移動させる。【選択図】図４
2018149667.tif 000002
【特許請求の範囲】
【請求項１】
電動釘打ち機（２）用のインパクト装置であって、前記電動釘打ち機（２）は、支持ブラケット（２１）と、前記支持ブラケット（２１）に回転可能に設けられると共に電気的に回転駆動可能であるフライホイール（２２）とを含み、
前記インパクト装置は、
前記支持ブラケット（２１）に枢設されるよう構成されると共に、導磁性を有する導磁性部品（３２）を含むスイングアームユニット（３）と、
インパクトユニット（４）であって、前記フライホイール（２２）と前記スイングアームユニット（３）との間に配置されるように構成されたインパクト部材（４１）と、前記インパクト部材（４１）に設置され、前記スイングアームユニット（３）との間に間隙（Ｄ）を形成するように前記スイングアームユニット（３）と離間していると共に、前記インパクトユニット（４）が前記スイングアームユニット（３）と接触するように前記導磁性部品（３２）を磁気的に引き付ける磁力を提供する磁性素子セット（４２）とを含むインパクトユニット（４）と、を具え、
前記スイングアームユニット（３）は、前記インパクト部材（４１）が前記フライホイール（２２）と接触しない位置である射出前位置と、前記インパクト部材（４１）が前記フライホイール（２２）と接触する位置である射出位置との間で移動可能であって、前記スイングアームユニット（３）が前記射出位置に移動すると、前記フライホイール（２２）の回転が前記インパクトユニット（４）を釘打ち方向（Ｘ）に前記スイングアームユニット（３）に沿って移動させて釘打ち動作が実行される、インパクト装置。
【請求項２】
前記インパクトユニット（４）は少なくとも１つの転動部材（４３）を更に含み、前記転動部材（４３）は、前記インパクト部材（４１）に回転可能に設けられ、前記スイングアームユニット（３）と転がり接触し、且つ、前記間隙（Ｄ）を前記スイングアームユニット（３）と前記磁性素子セット（４２）との間に形成するように配置されている、請求項１に記載のインパクト装置。
【請求項３】
前記インパクトユニット（４）は２つの前記転動部材（４３）を含み、該２つの前記転動部材（４３）は互いに離間していると共に、前記インパクト部材（４１）の反対の両方の端部にそれぞれ回転可能に配置されている、請求項２に記載のインパクト装置。
【請求項４】
前記インパクトユニット（４）は、互いに離間している２つの前記転動部材（４３）と、前記インパクト部材（４１）に設置されると共に各前記転動部材（４３）をそれぞれ貫通する２つの軸棒（４６）とを含み、前記転動部材（４３）はそれぞれ対応の１つの前記軸棒（４６）を中心に回転可能である、請求項２に記載のインパクト装置。
【請求項５】
前記磁性素子セット（４２）は４つの磁性素子（４２１）を含み、そのうちの２つの前記磁性素子（４２１）は、１つの前記転動部材（４３）の反対の両側にそれぞれ配置され、前記２つの前記磁性素子（４２１）を１つの前記軸棒（４６）が貫通し、他の２つの前記磁性素子（４２１）は、他の１つの前記転動部材（４３）の反対の両側にそれぞれ配置され、前記他の２つの前記磁性素子（４２１）を他の１つの前記軸棒（４６）が貫通し、
前記間隙（Ｄ）が形成されるように、各前記転動部材（４３）は外径が前記磁性素子（４２１）の外径より大きい、請求項４に記載のインパクト装置。
【請求項６】
前記導磁性部品（３２）は、前記釘打ち方向（Ｘ）に延伸すると共に前記フライホイール（２２）に面する摺動面（３２１）を有し、前記転動部材（４３）は、前記摺動面（３２１）と転がり接触すると共に、前記インパクト部材（４１）を前記摺動面（３２１）と接触しないようにしている、請求項４に記載のインパクト装置。
【請求項７】
前記導磁性部品（３２）は、前記釘打ち方向（Ｘ）に延伸すると共に前記フライホイール（２２）に面する摺動面（３２１）を有し、前記少なくとも１つの転動部材（４３）は、前記摺動面（３２１）と転がり接触すると共に、前記インパクト部材（４１）を前記摺動面（３２１）と接触しないようにしている、請求項２に記載のインパクト装置。
【請求項８】
前記スイングアームユニット（３）は、前記インパクト部材（４１）に面する内面（３１１）を有するスイングアーム（３１）を更に含み、前記導磁性部品（３２）は、前記スイングアーム（３１）の前記内面（３１１）に配置されていると共に前記釘打ち方向（Ｘ）に延伸している、請求項１に記載のインパクト装置。
【請求項９】
前記磁性素子セット（４２）は、前記インパクト部材（４１）に配置された少なくとも１つの磁性素子（４２１）と、前記インパクト部材（４１）に固定されて前記少なくとも１つの磁性素子（４２１）を前記インパクト部材（４１）に保持する保持部材（４２２）とを含む、請求項１に記載のインパクト装置。
【請求項１０】
前記保持部材（４２２）は前記少なくとも１つの磁性素子（４２１）を覆い、前記間隙（Ｄ）は前記保持部材（４２２）と前記導磁性部品（３２）との間に形成される、請求項９に記載のインパクト装置。
【発明の詳細な説明】
【技術分野】
【０００１】
本開示はインパクト装置に関し、より詳しくは電動釘打ち機用のインパクト装置に関する。
【背景技術】
【０００２】
図１は特許文献１に開示された従来の電動釘打ち機１を示す。従来の電動釘打ち機１は、支持ブラケット１１と、支持ブラケット１１に回転可能に設けられ且つ電気的に回転駆動されることができるフライホイール１２と、支持ブラケット１１に枢設され且つフライホイール１２に近づいたり離れたりするよう枢動可能なスイングアーム１３と、スイングアーム１３と連動可能に接続されて釘打ち方向（Ｙ）に延伸するガイドロッド１４と、ガイドロッド１４と接触していて且つガイドロッド１４に沿って摺動可能なインパクト部材１５と、インパクト部材１５に回転可能に設けられた２つの摺動ホイール１６とを具える。スイングアーム１３が外力によりフライホイール１２に向かって動かされ、インパクト部材１５がフライホイール１２に接触した時に、インパクト部材１５がガイドロッド１４に沿って釘打ち方向（Ｙ）に高速に摺動することで、釘打ち動作が実行される。
【０００３】
摺動ホイール１６は、インパクト部材１５のガイドロッド１４に沿った移動をよりスムーズにする。しかし、インパクト部材１５とガイドロッド１４とは物理的に接触しているので、インパクト部材１５の移動中、これらの間には摩擦抵抗が生じる。従って、インパクト部材１５の移動のスムーズさに関しては、なおも改良の余地がある。
【先行技術文献】
【特許文献】
【０００４】
【特許文献１】台湾特許第Ｉ３８５０５９号明細書
【発明の概要】
【発明が解決しようとする課題】
【０００５】
そこで、本発明は、上記従来技術の欠点を少なくとも１つは解決できるインパクト装置を提供することを目的とする。 
【課題を解決するための手段】
【０００６】
本開示によれば、インパクト装置は、支持ブラケットと、前記支持ブラケットに回転可能に設けられると共に電気的に回転駆動可能であるフライホイールとを含む電動釘打ち機に用いるためのものである。インパクト装置は、スイングアームユニットとインパクトユニットとを具える。
【０００７】
前記スイングアームユニットは支持ブラケットに枢設されるよう構成されると共に、導磁性を有する導磁性部品を含む。インパクトユニットは、前記フライホイールと前記スイングアームユニットとの間に配置されるように構成されたインパクト部材と、前記インパクト部材に設置され、前記スイングアームユニットとの間に間隙を形成するように前記スイングアームユニットと離間していると共に、前記インパクトユニットが前記スイングアームユニットと接触するように前記導磁性部品を磁気的に引き付ける磁力を提供する磁性素子セットとを含む。
【０００８】
前記スイングアームユニットは、前記インパクト部材が前記フライホイールと接触しない位置である射出前位置と、前記インパクト部材が前記フライホイールと接触する位置である射出位置との間で移動可能であって、前記スイングアームユニットが前記射出位置に移動すると、前記フライホイールの回転が前記インパクトユニットを釘打ち方向に前記スイングアームユニットに沿って移動させて釘打ち動作が実行される。
【０００９】
本発明の他の特徴および利点は、添付の図面を参照する以下の実施形態の詳細な説明において明白になるであろう。
【図面の簡単な説明】
【００１０】
【図１】特許文献１で開示されている従来の電動釘打ち機を示す部分正面図である。
【図２】本発明に係るインパクト装置の第１の実施形態を具える電動釘打ち機を示す部分断面概略図である。
【図３】第１の実施形態を示す分解斜視図である。
【図４】スイングアームユニットが射出前位置にある状態における第１の実施形態を示す概略断面図である。
【図５】射出前位置にあるスイングアームユニットと、第１の実施形態のインパクトユニットと電動釘打ち機のフライホイールとの間に形成される間隙を示す部分概略側面図である。
【図６】図５に類似するが、スイングアームユニットが射出位置にあり且つインパクトユニットがフライホイールに接触している状態を示す図である。
【図７】図４に類似するが、スイングアームユニットが射出位置にある状態を示す図である。
【図８】本発明に係るインパクト装置の第２の実施形態を示す分解斜視図である。
【図９】本発明に係るインパクト装置の第３の実施形態を示す分解斜視図である。
【図１０】第３の実施形態を示す概略断面図である。
【発明を実施するための形態】
【００１１】
本発明をより詳細に説明する前に、適切と考えられる場合において、符号又は符号の末端部は、同様の特性を有し得る対応の又は類似の要素を示すために各図面間で繰り返し用いられることに留意されたい。
【００１２】
図２〜図４に示されているように、本発明に係るインパクト装置の第１の実施形態は、電動釘打ち機２に設けられるように構成されるものである。電動釘打ち機２は、支持ブラケット２１と、支持ブラケット２１に回転可能に設けられると共に電気的に回転駆動可能であるフライホイール２２とを具える。インパクト装置は、スイングアームユニット３と、インパクトユニット４とを具える。
【００１３】
スイングアームユニット３は、支持ブラケット２１に枢設されるよう構成されたものであり、釘打ち方向（Ｘ）に延伸するスイングアーム３１と、導磁性を有する導磁性部品３２とを具える。スイングアーム３１はフライホイール２２に面する内面３１１を有する。導磁性部品３２はスイングアーム３１の内面３１１に配置され、且つ釘打ち方向（Ｘ）に延伸している。導磁性部品３２は、釘打ち方向（Ｘ）に延伸すると共にフライホイール２２に面する摺動面３２１を有する。
【００１４】
本実施形態において、インパクトユニット４は、インパクト部材４１と、磁性素子セット４２と、２つの転動部材４３と、釘打ちロッド４４とを有する。
【００１５】
インパクト部材４１は、フライホイール２２とスイングアームユニット３との間に配置されるように構成され、スイングアーム３１の内面３１１がインパクト部材４１に面している。
【００１６】
磁性素子セット４２は、インパクト部材４１に設置され、スイングアームユニット３との間に間隙（Ｄ）を形成するようにスイングアームユニット３と離間していると共に、インパクトユニット４がスイングアームユニット３と連結されて接触するように導磁性部品３２を磁気的に引き付ける磁力を提供する。
【００１７】
本実施形態において、磁性素子セット４２は、インパクト部材４１に配置され且つ釘打ち方向（Ｘ）において互いに離間している２つの磁性素子４２１と、インパクト部材４１に固定されてインパクト部材４１上の磁性素子４２１を保持する保持部材４２２とを有する。保持部材４２２は磁性素子４２１を覆う。上述の間隙（Ｄ）は保持部材４２２と導磁性部品３２との間に形成される。
【００１８】
２つの転動部材４３は互いに離間していると共に、インパクト部材４１の反対の両方の端部にそれぞれ回転可能に配置されている。転動部材４３は、スイングアームユニット３の導磁性部品３２の摺動面３２１と転がり接触し、よってインパクト部材４１を摺動面３２１と接触しないようにし、これによりスイングアームユニット３の導磁性部品３２と磁性素子セット４２の保持部材４２２との間に上述の間隙（Ｄ）が形成され且つ維持される。本実施形態において２つの転動部材４３はそれぞれ球状であるが、転動部材４３の形状はこれに限らない。他の実施形態として、各転動部材４３はインパクト部材４１に転動可能に設けられる中空円筒や中実円筒であってもよい。
【００１９】
なお、転動部材４３が導磁性部品３２の摺動面３２１と転がり接触するように設けられる構成は、インパクト部材４１のスイングアームユニット３における移動をよりスムーズにするためのものである。更に、転動部材４３は、導磁性部品３２と磁性素子セット４２とが直接接触することを避けるための役割も果たす。このように、磁性素子セット４２は物理的には導磁性部品３２と離間して接触しないが、磁性素子セット４２と導磁性部品３２とが磁気的に引き付け合っていることにより、インパクトユニット４がスイングアームユニット３と共に回転可能に連結されるようになっている。
【００２０】
釘打ちロッド４４はインパクト部材４１から釘打ち方向（Ｘ）に延伸している。
【００２１】
図４〜図７に示すように、スイングアームユニット３は、射出前位置（図４及び図５参照）と、射出位置（図６及び図７参照）との間で移動可能である。射出前位置は、インパクト部材４１がフライホイール２２と接触しないようスイングアームユニット３がフライホイール２２から離れるように移動した位置である。一方、射出位置は、インパクト部材４１がフライホイール２２と接触するように、且つ、フライホイール２２の回転がインパクトユニット４を前記釘打ち方向（Ｘ）にスイングアームユニット３に沿って移動させて釘打ち動作が実行されるように（即ち、転動部材４３が導磁性部品３２の摺動面３２１を転がることにより）、スイングアームユニット３がフライホイール２２に向かって移動した位置である。
【００２２】
図８に示すように、本発明にかかるインパクト装置の第２の実施形態は、第１の実施形態に類似するが、インパクトユニット４が第１の実施形態と異なる。第２の実施形態において、転動部材４３はそれぞれ転動ホイールとして構成されていて、また、インパクトユニット４は、２つの軸棒４６を更に含む。２つの軸棒４６は、インパクト部材４１に設置されると共に転動部材４３を貫通していて、これにより転動部材４３はそれぞれ対応の１つの軸棒４６を中心に回転可能となっている。
【００２３】
図９及び図１０に示すように、本発明にかかるインパクト装置の第３の実施形態は第２の実施形態に類似する。第３の実施形態の第２の実施形態と異なる点は磁性素子セット４２にある。第３の実施形態における磁性素子セット４２は、２つで一組となっている計４つの磁性素子４２１を含み、各磁性素子４２１はリング型に形成されている。そのうちの２つの磁性素子４２１は１つの転動部材４３の反対の両側にそれぞれ配置され、これら２つの磁性素子４２１を１つの軸棒４６が貫通している。他の２つの磁性素子４２１は、他の１つの転動部材４３の反対の両側にそれぞれ配置され、当該他の２つの磁性素子４２１を他の１つの軸棒４６が貫通している。軸棒４６はそれぞれ、磁性素子４２１を保持する役目を果たし、また、上述の間隙（Ｄ）が形成されるように各転動部材４３は外径が各磁性素子４２１の外径より大きい。
【００２４】
上記まとめると、スイングアームユニット３とインパクトユニット４とが、導磁性部品３２と磁性素子４２１との間の磁気的な引き付け合いによって連結されているので、インパクト部材４１のスイングアームユニット３における移動の間に発生し得る摩擦抵抗が、上述の従来技術におけるものよりも大幅に低減される。よって、釘打ち動作の実行中におけるインパクト部材４１の移動のスムーズさが飛躍的に向上する。
【００２５】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」、「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものである。
【００２６】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【符号の説明】
【００２７】
２  電動釘打ち機、２１  支持ブラケット、２２  フライホイール、３  スイングアームユニット、３１  スイングアーム、３１１  内面、３２  導磁性部品、３２１  摺動面、４  インパクトユニット、４１  インパクト部材、４２  磁性素子セット、４２１  磁性素子、４２２  保持部材、４３  転動部材、４６  軸棒、Ｄ  間隙、Ｘ  釘打ち方向
【図１】
2018149667.tif 000003
【図２】
2018149667.tif 000004
【図３】
2018149667.tif 000005
【図４】
2018149667.tif 000006
【図５】
2018149667.tif 000007
【図６】
2018149667.tif 000008
【図７】
2018149667.tif 000009
【図８】
2018149667.tif 000010
【図９】
2018149667.tif 000011
【図１０】
2018149667.tif 000012
【外国語明細書】
2018149667000001.pdf